(57)【要約】      （修正有）【課題】  ノズルボディーに対して糸交絡ノズルを迅速・簡便に着脱し、メンテナンスや交換を容易化する。【解決手段】  ノズルボディー１に開口したボルト嵌挿口１０に手動ボルト４をネジ嵌合し、手動ボルト４をエア案内筒３に接当可能に構成して、手動ボルト４の手動操作部１１を固定方向又は解除方向に回動させて、固定時には手動ボルト４の締め付け力でエア案内筒３、封止リング７及び糸交絡ノズル２を相互に圧接状態にして糸交絡ノズル２をノズルボディー１に固定し、また、解除時には手動ボルト４の締め付け力を緩めて糸交絡ノズル２をノズルボディー１から取り外し可能に構成した手動着脱式の糸交絡装置である。多数の交絡装置が稼働する作業現場でも、ドライバーや六角棒などの別途の解除工具なしで、手動ボルトを手動操作するだけで糸交絡ノズルをノズルボディーに対して着脱自在にすることができる。【選択図】  図１
2005171444.tif 000002
【特許請求の範囲】
【請求項１】
ノズルボディー(１)の左右方向にエア筒設置部(６)を設け、エア筒設置部(６)の左右の一方にノズル設置部(５)を連通状で且つ前後方向に凹設し、エア筒設置部(６)の左右の他方にノズル固定具(４)を設け、ノズル設置部(５)に糸交絡ノズル(２)を封止リング(７)を介して配置し、エア筒設置部(６)にエア案内筒(３)を封止リング(１６)を介して密接状に挿入し、ノズル固定具(４)によりエア案内筒(３)の一端を上記封止リング(７)を介して糸交絡ノズル(２)の一端に圧接して、エア案内筒(３)のエア案内孔(９)を糸交絡ノズル(２)の圧縮空気噴射孔(８)に密封状に連通するとともに、糸交絡ノズル(２)をノズルボディー(１)に固定する糸交絡装置において、
上記ノズル固定具(４)が手動ボルトであり、ノズルボディー(１)に開口したボルト嵌挿口(１０)にこの手動ボルト(４)をネジ嵌合し、手動ボルト(４)を上記エア案内筒(３)に接当可能に構成して、手動ボルト(４)の手動操作部(１１)を固定方向又は解除方向に回動させて、固定時には手動ボルト(４)の締め付け力でエア案内筒(３)、封止リング(７)及び糸交絡ノズル(２)を相互に圧接状態にして糸交絡ノズル(２)をノズルボディー(１)に固定し、また、解除時には手動ボルト(４)の締め付け力を緩めて糸交絡ノズル(２)をノズルボディー(１)から取り外し可能にして、手動ボルト(４)の回動操作により糸交絡ノズル(２)をノズルボディー(１)に手動で着脱自在に構成したことを特徴とする手動着脱式の糸交絡装置。
【請求項２】
手動ボルト(４)とエア案内筒(３)を一体に固定して、手動ボルト(４)をボルト嵌挿口(１０)から脱落不能に構成したことを特徴とする請求項１に記載の手動着脱式の糸交絡装置。
【発明の詳細な説明】
【技術分野】
【０００１】
本発明はマルチフィラメントからなる糸条に圧縮空気を噴射してフィラメント同士を互いに絡み合わせる糸交絡ノズルをノズルボディーに装填した糸交絡装置に関して、糸交絡ノズルをノズルボディーに対して手動操作で着脱自在にすることにより、糸交絡作業の現場で糸交絡ノズルのメンテナンスや交換を迅速・簡便化できるものを提供する。
【背景技術】
【０００２】
糸交絡装置の従来技術としては、図５に示すように、糸交絡ノズル１０２をノズル上部１０２ａとノズル下部１０２ｂの二つ割り型に形成し、ノズル上部１０２ａと下部１０２ｂに各壁面１０３を凹設し、相互の壁面１０３同士を対向状に臨ませて糸道１０５を形成しながら、ノズル上部１０２ａとノズル下部１０２ｂを六角穴付きボルト１０４を介してノズルボディー１０１に固定した糸交絡装置がある。
例えば、特許文献１〜２の糸交絡装置も、ノズルボディー部とバッフルボディ−部に各々壁面を凹設し、当該壁面同士が対向状に臨むように両部材を重ねて糸道を形成しながら、この両部材を六角穴付きボルト及び２個のセンタリングピンを介して一体化する点で上記基本構造と共通する。
【０００３】
他の従来技術としては、図６に示すように、ノズルボディー１１１にＬ字段差状のノズル設置部１１５を設け、この設置部１１５に糸交絡ノズル１１２を載置し、山形屈曲状の固定板１１３を糸交絡ノズル１１２の傾斜状の受止め部１１２ａに接当しながら、固定ボルト１１４で糸交絡ノズル１１２をノズルボディー１１１に締結するように構成した糸交絡装置がある。
【特許文献１】特開平５−１４０８３３号公報
【特許文献２】特開平６−１７３５９号公報
【発明の開示】
【発明が解決しようとする課題】
【０００４】
一般に、糸交絡作業の現場では、数十台、数百台或はそれ以上の規模の多数の糸交絡装置が並行して稼働している。
この糸交絡作業においては、糸条の保護と作業の円滑性を確保するために糸条には油剤を塗布していることから、長時間に亘り連続操業を継続すると、この糸条に塗布した油剤が糸交絡ノズルの糸道などに付着して汚損し、糸道の中央空間部に糸条を導いて円滑に踊らせようとする効率が低下して、交絡性能の悪化を招いてしまう。
また、糸交絡作業においては、糸条の本数、太さ、或は種類が変わると、それに適合した交絡態様を実現するために、糸交絡ノズルの種類を変える必要がある。
このように、油剤による汚染を除去して糸交絡ノズルをメンテナンスしたり、交絡態様の変化に伴って糸交絡ノズルを交換する場合には、糸交絡ノズルをノズルボディーから取り外す必要があるが、上記従来技術においては、ドライバーや六角棒によりノズルボディーに締結された固定ボルトを回動して緩め、ノズル上部や固定板を解除する工程を経ないと、糸交絡ノズルをノズルボディーから取り外すことができなかった。
【０００５】
即ち、多数台の糸交絡装置が並行して稼働している作業現場で、糸交絡ノズルのメンテナンスや交換を目的として、糸交絡ノズルをノズルボディーから取り外そうとすれば、ドライバーや特殊な六角棒などの別途の解除工具を用意して、多数の糸交絡装置の固定ボルトをこれらの解除工具で逐次回動する必要があるため、解除工具を別途準備しておく手間も含めて作業が煩雑になり、且つ多数の固定ボルトの回動作業を必要とする点でその作業量も膨大になり、生産性の低下は顕著である。
本発明は、ノズルボディーに対して糸交絡ノズルを迅速・簡便に着脱し、メンテナンスや交換を容易化することを技術的課題とする。
【課題を解決するための手段】
【０００６】
本発明者らは、別途の解除工具なしで糸交絡ノズルの着脱を簡便化する手段を鋭意研究した結果、ノズルボディーに手動ボルトをネジ嵌合し、この手動ボルトの締め付け力をエア案内筒及び封止リングを介して糸交絡ノズルに伝達可能にして、手動ボルトを固定方向に回動すると、糸交絡ノズルのノズルボディーへの固定と圧縮空気の流通路の封止が共に達成でき、逆に、手動ボルトを解除方向に回動して締め付け力を緩めると、糸交絡ノズルがノズルボディーから簡単に取り外せる構造を着想して、本発明を完成した。
【０００７】
即ち、本発明１は、ノズルボディー１の左右方向にエア筒設置部６を設け、エア筒設置部６の左右の一方にノズル設置部５を連通状で且つ前後方向に凹設し、エア筒設置部６の左右の他方にノズル固定具４を設け、ノズル設置部５に糸交絡ノズル２を封止リング７を介して配置し、エア筒設置部６にエア案内筒３を封止リング１６を介して密接状に挿入し、ノズル固定具４によりエア案内筒３の一端を上記封止リング７を介して糸交絡ノズル２の一端に圧接して、エア案内筒３のエア案内孔９を糸交絡ノズル２の圧縮空気噴射孔８に密封状に連通するとともに、糸交絡ノズル２をノズルボディー１に固定する糸交絡装置において、
上記ノズル固定具４が手動ボルトであり、ノズルボディー１に開口したボルト嵌挿口１０にこの手動ボルト４をネジ嵌合し、手動ボルト４を上記エア案内筒３に接当可能に構成して、手動ボルト４の手動操作部１１を固定方向又は解除方向に回動させて、固定時には手動ボルト４の締め付け力でエア案内筒３、封止リング７及び糸交絡ノズル２を相互に圧接状態にして糸交絡ノズル２をノズルボディー１に固定し、また、解除時には手動ボルト４の締め付け力を緩めて糸交絡ノズル２をノズルボディー１から取り外し可能にして、手動ボルト４の回動操作により糸交絡ノズル２をノズルボディー１に手動で着脱自在に構成したことを特徴とする手動着脱式の糸交絡装置である。
【０００８】
本発明２は、上記本発明１において、手動ボルト４とエア案内筒３を一体に固定して、手動ボルト４をボルト嵌挿口１０から脱落不能に構成したことを特徴とする手動着脱式の糸交絡装置である。
【発明の効果】
【０００９】
本発明では、先ず、ノズルボディーの手動ノズルの手動操作部を把持して解除方向に回動操作すると、エア案内筒及び封止リングを介して糸交絡ノズルをノズルボディーのノズル設置部に圧接する締め付け力が解除されるため、ノズルボディーから糸交絡ノズルを簡単に取り外すことができる。次いで、ノズルボディーのノズル設置部に糸交絡ノズルを装填した後、手動ノズルの手動操作部を把持して固定方向に回動操作すると、エア案内筒及び封止リングを介して糸交絡ノズルをノズル設置部に圧接する締め付け力が増大するため、ノズルボディーに糸交絡ノズルを簡単に固定できる。この際、当該締め付け力により、糸交絡ノズルとエア案内筒は封止リングを介して相互に密接するため、エア案内筒のエア案内孔と糸交絡ノズルの圧縮空気噴射孔は自動的に密封状に連通する。
このため、多数の交絡装置が稼働する作業現場においても、ドライバーや六角棒のような別途の解除工具を必要とせず、ノズルボディーの手動ボルトを回動操作するだけで糸交絡ノズルをノズルボディーに対して手動で着脱自在に切り換えることができ、糸交絡ノズルの糸道などに付着した油剤を除去するメンテナンスや、交絡態様に合わせた糸交絡ノズルの交換を迅速且つ簡便に行うことができる。
【００１０】
また、本発明２では、手動ボルトはボルト嵌挿口から脱落不能であるため、手動ボルトは常にノズルボディーと一体であり、解除時にノズルボディーから分離された手動ボルトを現場で逸失してしまう恐れを有効に排除できる。
【実施例】
【００１１】
以下、本発明の実施例を順次説明するが、本発明は下記の実施例に拘束されるものではなく、本発明の技術的思想の範囲内で任意の変形をなし得ることは勿論である。
図１〜図４は本発明の糸交絡装置を示し、図１は糸交絡装置の要部拡大縦断正面図、図２は同装置の一部切欠平面図、図３は同装置の右側面図、図４は同装置の概略分解斜視図である。
【００１２】
図１〜図４に示すように、糸交絡装置２０はノズルボディー１と糸交絡ノズル２とエア案内筒３と手動ボルト４から構成され、糸交絡ノズル２はノズルボディー１のノズル設置部５に、エア案内筒３は同ボディーのエア筒設置部６に、手動ボルト４は同ボディーのボルト嵌挿口１０に夫々配置される。
即ち、ノズルボディー１の左右方向に向けて円筒状のエア筒設置部６を設け、エア筒設置部６の左側にノズル設置部５を連通状で且つ前後方向に凹設し、エア筒設置部６の右側にボルト嵌挿口１０を連通状で且つ左右方向に穿設する。
上記ノズル設置部５の左側壁５ａにリング嵌合部１３ａを設け、リング嵌合部１３ａの中央からノズルボディー１の肉壁内の左側及び斜め下側に向けてエア通路１４ａを開口するとともに、上記エア筒設置部６の底壁からノズルボディー１の肉壁内の斜め下側に向けてエア通路１４ｂを開口する。
【００１３】
上記エア案内筒３は円柱状であり、そのノズル設置部５に臨む左側壁３ａにはリング嵌合部１３ｂを設け、エア案内筒３の円周壁３ｂにはその左右に二条のリング嵌合溝１５ａ、１５ｂを周設し、リング嵌合溝１５ａ・１５ｂにＯリング１６を夫々嵌合する。また、エア案内筒３の左側壁３ａから右方向に軸心エア通路を穿設し、エア案内筒３の左右のリング嵌合溝１５ａ・１５ｂの間にエア溝部を周設するとともに、このエア溝部からエア案内筒３の径方向にエア通路を貫設し、この円周エア溝部と軸芯エア通路を径方向エア通路で連通して、これらの通路及び溝部の全体によりエア案内孔９を構成する。
また、エア案内筒３の右端の受け止め壁３ｃの中央部にはネジ受け部３ｄを突設し、後述する手動ボルト４の挿通口４ｂに遊嵌可能に構成される。
上記糸交絡ノズル２は前後方向にほぼ家形の糸道１２を貫設し、この糸道１２に臨ませて左右対向状の圧縮空気噴射孔８・８を上広がりの傾斜方向に２本開口し、糸交絡ノズル１の上部から糸道１２に向けて前後方向の糸嵌挿スリット１７を穿設する。
【００１４】
上記手動ボルト４は大径の手動操作部１１と小径のネジ部から成り、このネジ部がボルト嵌挿口１０にネジ嵌合するとともに、網状のボス加工を施した手動操作部１１はノズルボディー１の外部に突出して、作業者の把持により回動操作可能に構成される。この手動操作部１１の中央には大径の開口部１１ａを設け、この開口部１１ａの奥に小径の挿通口４ｂを連通状に開口する。
上記手動操作部１１の中央の開口部１１ａから締結ネジ１８を挿入し、手動ボルト４の挿通口４ｂをエア案内筒３のネジ受け部３ｄに遊嵌した状態で、この締結ネジ１８をエア案内筒３のネジ受け部３ｄにネジ嵌合して、手動ボルト４をエア案内筒３に一体に固定する。その際、手動ボルト４の挿通口４ｂと開口部１１ａは口径が異なるため、大径の開口部１１ａの段差壁に締結ネジ１８の頭部が接当することになる(図１参照)。
次いで、手動ボルト４と一体固定したエア案内筒３をノズルボディー１に開けたボルト嵌挿口１０の側からエア筒設置部６に向けて挿入し、手動ボルト４をボルト嵌挿口１０にネジ嵌合することにより、エア案内筒３を２個のＯリング１６を介してエア筒設置部６に密接状に嵌挿する。
このエア案内筒３のリング嵌合部１３ｂとノズル設置部５のリング嵌合部１３ａにはＯリング７を各々嵌合し、ノズル設置部５の平坦な受け止め壁５ｂに糸交絡ノズル２のノズル底壁２ａを接当させた状態で、糸交絡ノズル２をノズル設置部５に上方から嵌挿して装填する(図４参照)。
そして、手動ボルト４をボルト嵌挿口１０に対して固定方向に深くネジ込んで、手動ボルト４の左端の押圧壁４ａをエア案内筒３の右端の受け止め壁３ｃに押圧し、この押圧力をエア案内筒３を介して糸交絡ノズル２に伝達して、糸交絡ノズル２をエア案内筒３とノズル設置部５の左側壁５ａとの間に挟圧することにより、糸交絡ノズル２をノズルボディー１に固定する。このとき、ノズルボディー１の左右方向には、手動ボルト４、エア案内筒３、封止リング７、糸交絡ノズル２及び封止リング７が直列状に装填される。
一方、この糸交絡ノズル２の装填状態では、糸交絡ノズル２の左側の圧縮空気噴射孔８はノズルボディー１の左肉壁に開口したエア通路１４ａに連通し、糸交絡ノズル２の右側の圧縮空気噴射孔８はエア案内筒３のエア案内孔９に連通し、このエア案内孔９はノズルボディー１の右側のエア通路１４ｂに連通する。従って、２穴タイプの糸交絡ノズル２においては、２本の圧縮空気噴射孔８・８のうち、左側の圧縮空気噴射孔８にはノズルボディー１の左側のエア通路１４ａを経て、また、右側の圧縮空気噴射孔８にはノズルボディーの右側のエア通路１４ｂ及びエア案内筒３のエア案内孔９を経て、圧縮空気の噴射流が夫々流入することになる。
尚、図３の仮想線は糸交絡ノズル２の前・後に設けた糸ガイド設置部１９・１９であり、当該設置部１９には糸ガイド(図示省略)が装填される。また、符号２１は圧縮空気を送給するためのエア供給口である。
【００１５】
そこで、図１〜図４に基づいて、本糸交絡装置の機能を述べる。
先ず、手動ボルト４の手動操作部１１を把持して固定方向に回動すると、その締め付け力がエア案内筒３の押圧力になって封止リング７及び糸交絡ノズル２に伝達されるため、エア案内筒３、封止リング７及び糸交絡ノズル２は相互に圧接状態になって、糸交絡ノズル２がノズルボディー１に固定される。同時に、糸交絡ノズル２の左端は封止リング７を介してノズルボディー１の肉壁に、また、糸交絡ノズル２の右端は封止リング７を介してエア案内筒３の左側壁３ａに各々圧接されるため、エア案内筒３のエア案内孔９とノズルボディー１の左側のエア通路１４ａは糸交絡ノズル２の圧縮空気噴射孔８・８に各々密封状に連通する。このため、糸交絡ノズル２のノズルボディー１への固定と圧縮空気の流通路の封止が同時に達成できる。
次いで、手動ボルト４の手動操作部１１を緩めて解除方向に回動すると、手動ボルト４からの締め付け力が緩んでエア案内筒３の糸交絡ノズル２に対する押圧力が軽減するため、糸交絡ノズル２はノズルボディー１のノズル設置部５から容易に取り外せる。
【００１６】
以上のように、多数の交絡装置が稼働する作業現場においても、本糸交絡装置にあっては、ドライバーや六角棒のような別途の解除工具を必要とせず、手動ボルト４の手動操作部１１を把持して固定又は解除方向に回動操作するだけで、糸交絡ノズル２をノズルボディー１に手動で着脱自在に切り換えることができる。従って、糸交絡ノズル２の糸道１２などに付着した油剤を除去するメンテナンスや、交絡態様に合わせた糸交絡ノズル２の交換を迅速且つ簡便に行うことができる。
また、手動ボルト４を緩めて解除操作をすると、手動ボルト４と締結ネジ１８の頭部の間に摩擦力が働くため、締結ネジ１８と一体のエア案内筒３も連れもって回動しようとするが、エア案内筒３は２個のＯリング１６を介してエア筒設置部６に密接・嵌挿するため、このＯリング１６の密接力の方がはるかに大きく、エア案内筒３は回動することなく手動ボルト４だけが回動する。このため、解除操作にあっては、手動ボルト４を軽く回動するだけで糸交絡ノズル２をノズルボディー１から取り外すことができる。次いで、この解除操作の範囲を越えて手動ボルト４をボルト嵌挿口１０から抜き外そうとすると、手動ボルト４はエア案内筒３に締結ネジ１８で一体固定されているため、Ｏリング１６の密接力に抗してかなり強い力で引き抜かない限りボルト嵌挿口１０から抜き外せない。このため、手動ボルト４はノズルボディー１と常に一体であり、現場で手動ボルト４がノズルボディー１から分離して逸失する危険を排除できる。
【００１７】
本実施例では、糸交絡ノズル２(即ち、糸道１２の軸心方向)はノズルボディー１に前後方向に装填するのに対して、エア案内筒３のノズルボディー１への嵌挿方向は左右方向であり、この両方向は直交関係にあるが、糸交絡ノズル２(即ち、糸道１２の方向)に対してエア案内筒３を直交方向から外れた交差方向でノズルボディー１に装填するように構成しても良い。
また、本実施例では、糸交絡ノズル２は２本の圧縮空気噴射孔８を対向状に開けた２穴タイプであるが、圧縮空気噴射孔８を１本だけ開けた１穴タイプの糸交絡ノズル２をノズルボディー１に着脱可能に構成しても良い。例えば、図１において、糸交絡ノズル２の左側の圧縮空気噴射孔８とノズルボディー１の左寄り肉壁のエア通路１４ａを形成せず、糸交絡ノズル２の上部から糸道１２に向けて１本の圧縮空気噴射孔８を形成し(糸嵌挿スリット１７は横側に形成すれば良い)、エア案内筒３のエア案内孔９をこの圧縮空気噴射孔８に連通するように構成することもできる。
この糸交絡ノズル２の糸道１２の形状は家形に限らず、円形状、欠円形状、三角形状、その他の任意の形状に形成できることはいうまでもない。
さらに、手動ボルト４をノズルボディー１から脱落不能にする手段は、本実施例のように手動ボルト４を締結ネジ１８でエア案内筒３に一体化する構成に限らず、例えば、ボルト嵌挿口１０の周肉壁の１箇所に庇状のストッパを外向きに突設し、解除方向の回動で手動ボルト４がボルト嵌挿口１０からある程度抜け出した状態になると、手動ボルト４の手動操作部１１がこのストッパに接当してそれ以上は抜けないように構成しても差し支えない。
尚、本実施例では、手動ボルト４をボルト嵌挿口１０から脱落不能に構成したが、本発明においては、この実施例に拘束されることなく、手動ボルト４とエア案内筒３を一体に固定せずに別々に分離可能にして、手動ボルト４をボルト嵌挿口１０から取り外せる構造にすることもできる。
【図面の簡単な説明】
【００１８】
【図１】本発明の実施例を示す糸交絡装置の要部拡大縦断正面図である。
【図２】同糸交絡装置の一部切欠平面図である。
【図３】同糸交絡装置の右側面図である。
【図４】同糸交絡装置の概略分解斜視図である。
【図５】従来技術を示す糸交絡装置の縦断面図である。
【図６】他の従来技術を示す糸交絡装置の縦断面図である。
【符号の説明】
【００１９】
１…ノズルボディー、２…糸交絡ノズル、３…エア案内筒、４…手動ノズル、５…ノズル設置部、６…エア筒設置部、７…封止リング、８…糸交絡ノズルの圧縮空気噴射孔、９…エア案内筒のエア案内孔、１０…ボルト嵌挿口、１１…手動ボルトの回動操作部、１２…糸交絡ノズルの糸道、１６…封止リング、２０…糸交絡装置。
【図１】
2005171444.tif 000003
【図２】
2005171444.tif 000004
【図３】
2005171444.tif 000005
【図４】
2005171444.tif 000006
【図５】
2005171444.tif 000007
【図６】
2005171444.tif 000008